(57)【特許請求の範囲】
【請求項１】
内容液を収容する容器本体と、該容器本体に装着されたトリガー式のポンプディスペンサとを有するトリガー式噴出容器であって、
前記ポンプディスペンサが、
前記容器本体に固定されるディスペンサ本体と、
前面壁と該前面壁の両側部に連なる一対の側面壁とを備えたレバー形状に形成され、長手方向の一端側において前記ディスペンサ本体に回動自在に支持されたトリガーと、
前記ディスペンサ本体に装着され、前記トリガーの前面壁に設けられた窓孔から外部に向けて突出するノズルと、を有し、
前記トリガーに、該ポンプディスペンサに隣接する収納状態と該ポンプディスペンサに対して外方に向けて突出する突出状態とに切替え可能な可動式の吊下げフックが装着されていることを特徴とするトリガー式噴出容器。
【請求項２】
前記吊下げフックが、
前記トリガーの一方の前記側面壁と他方の側面壁との間に架け渡された支軸部と、
前記支軸部の一端に固定されて一方の前記側面壁に沿って回動自在の第１のフック部と、
前記支軸部の他端に固定されて他方の前記側面壁に沿って回動自在の第２のフック部と、を有する、請求項１に記載のトリガー式噴出容器。
【請求項３】
前記側面壁に前記フック部の回動方向の一方のストローク端を規定する第１のストッパ凸部と他方のストローク端を規定する第２のストッパ凸部とが設けられ、
前記フック部が前記第１のストッパ凸部に当接したときに前記吊下げフックが収納状態となり、前記フック部が前記第２のストッパ凸部に当接したときに前記吊下げフックが突出状態となる、請求項２に記載のトリガー式噴出容器。
【請求項４】
前記フック部の前記側面壁の側を向く内側面に凹部が設けられ、前記フック部が回動方向の一方のストローク端と他方のストローク端との間の中間位置にあるときに前記凹部に係合する係止凸部が前記側面壁に設けられている、請求項３に記載のトリガー式噴出容器。
【請求項５】
前記吊下げフックが、
一方の前記側面壁に設けられた長溝に該長溝に沿って移動自在且つ回動自在に係合する係合ボスを備えた第１のフック部と、
他方の前記側面壁に設けられた長溝に該長溝に沿って移動自在且つ回動自在に係合する係合ボスを備えた第２のフック部と、
前記第１のフック部と前記第２のフック部とを連ねる連接壁部と、を有する、請求項１に記載のトリガー式噴出容器。
【請求項６】
前記長溝に、前記係合ボスを該長溝の一端に保持する第１の保持突起と、前記係合ボスを該長溝の他端に保持する第２の保持突起とが設けられている、請求項５に記載のトリガー式噴出容器。
【発明の詳細な説明】
【技術分野】
【０００１】
本発明は、内容液を収容する容器本体と、該容器本体に装着されたトリガー式のポンプディスペンサとを有するトリガー式噴出容器に関する。
【背景技術】
【０００２】
従来から、例えば洗剤や芳香剤等の種々の内容液を収容する容器として、内容液を収容する容器本体にトリガー式のポンプディスペンサを装着したトリガー式噴出容器が知られている（例えば特許文献１参照）。このようなトリガー式噴出容器では、トリガーを引き操作することにより、ポンプディスペンサに内蔵されたポンプを作動させて所定量の内容液をノズルから外部に向けて噴出させることができる。
【先行技術文献】
【特許文献】
【０００３】
【特許文献１】特開２０１２−２０６０７８号公報
【発明の概要】
【発明が解決しようとする課題】
【０００４】
しかしながら、従来のトリガー式噴出容器は、容器本体の底面を座面として棚などに置いて保管する置き型となっているので、例えば棚が設けられていないトイレなどでは、その保管場所を確保することが困難である。そのため、トリガー式噴出容器を別の場所の棚等に保管しておく必要があり、その使用に際しての取出しが不便であるという問題点があった。
【０００５】
本発明は、このような問題を解決することを課題とするものであり、その目的は、棚などの保管場所が設けられないトイレ等の場所においても、引掛り部等に引っ掛けて保管することができるトリガー式噴出容器を提供することにある。
【課題を解決するための手段】
【０００６】
本発明のトリガー式噴出容器は、内容液を収容する容器本体と、該容器本体に装着されたトリガー式のポンプディスペンサとを有するトリガー式噴出容器であって、前記ポンプディスペンサが、前記容器本体に固定されるディスペンサ本体と、前面壁と該前面壁の両側部に連なる一対の側面壁とを備えたレバー形状に形成され、長手方向の一端側において前記ディスペンサ本体に回動自在に支持されたトリガーと、前記ディスペンサ本体に装着され、前記トリガーの前面壁に設けられた窓孔から外部に向けて突出するノズルと、を有し、前記トリガーに、該ポンプディスペンサに隣接する収納状態と該ポンプディスペンサに対して外方に向けて突出する突出状態とに切替え可能な可動式の吊下げフックが装着されていることを特徴とする。
【０００８】
本発明のトリガー式噴出容器は、上記構成において、前記吊下げフックが、前記トリガーの一方の前記側面壁と他方の側面壁との間に架け渡された支軸部と、前記支軸部の一端に固定されて一方の前記側面壁に沿って回動自在の第１のフック部と、前記支軸部の他端に固定されて他方の前記側面壁に沿って回動自在の第２のフック部と、を有するのが好ましい。
【０００９】
本発明のトリガー式噴出容器は、上記構成において、前記側面壁に前記フック部の回動方向の一方のストローク端を規定する第１のストッパ凸部と他方のストローク端を規定する第２のストッパ凸部とが設けられ、前記フック部が前記第１のストッパ凸部に当接したときに前記吊下げフックが収納状態となり、前記フック部が前記第２のストッパ凸部に当接したときに前記吊下げフックが突出状態となるのが好ましい。
【００１０】
本発明のトリガー式噴出容器は、上記構成において、前記フック部の前記側面壁の側を向く内側面に凹部が設けられ、前記フック部が回動方向の一方のストローク端と他方のストローク端との間の中間位置にあるときに前記凹部に係合する係止凸部が前記側面壁に設けられているのが好ましい。
【００１１】
本発明のトリガー式噴出容器は、上記構成において、前記吊下げフックが、一方の前記側面壁に設けられた長溝に該長溝に沿って移動自在且つ回動自在に係合する係合ボスを備えた第１のフック部と、他方の前記側面壁に設けられた長溝に該長溝に沿って移動自在且つ回動自在に係合する係合ボスを備えた第２のフック部と、前記第１のフック部と前記第２のフック部とを連ねる連接壁部と、を有するのが好ましい。
【００１２】
本発明のトリガー式噴出容器は、上記構成において、前記長溝に、前記係合ボスを該長溝の一端に保持する第１の保持突起と、前記係合ボスを該長溝の他端に保持する第２の保持突起とが設けられているのが好ましい。
【発明の効果】
【００１３】
本発明によれば、ポンプディスペンサに装着された吊下げフックを突出状態に切り替えることで、この吊下げフックを引掛り部等に引っ掛けてトリガー式噴出容器を吊り下げた状態で保管することができる。また、棚等の保管場所に置いて保管する際や使用時等においては、吊下げフックを収納状態に切り替えることで、保管場所の省スペース化や使用時の操作性の向上を図ることができる。
【００１４】
このように、本発明によれば、棚などの保管場所が設けられないトイレ等の場所においても、引掛り部等に引っ掛けて保管することができるトリガー式噴出容器を提供することができる。
【図面の簡単な説明】
【００１５】
【図１】本発明の一実施の形態であるトリガー式噴出容器の側面図である。
【図２】図１に示すトリガー式噴出容器の平面図である。
【図３】図１に示すトリガー式噴出容器の、吊下げフックが突出状態とされたときの側面図である。
【図４】図１に示すトリガー式噴出容器の変形例の側面図である。
【図５】図４に示すトリガー式噴出容器の、吊下げフックが中間状態とされたときの平面図である。
【図６】図４に示すトリガー式噴出容器の、吊下げフックが中間状態とされたときの側面図である。
【発明を実施するための形態】
【００１６】
以下、図面を参照して、本発明をより具体的に例示説明する。
【００１７】
図１に示すように、本発明の一実施の形態であるトリガー式噴出容器１は、容器本体１０とトリガー式のポンプディスペンサ２０とを備えている。
【００１８】
容器本体１０は、その胴部１１が円筒状となるボトル形状に形成されている。容器本体１０の内部には、例えば洗剤や芳香剤等の種々の内容液を収容することができる。本実施の形態においては、容器本体１０にはトイレ掃除用の液体洗剤が収容されている。
【００１９】
容器本体１０の底部１２は座面となっており、このトリガー式噴出容器１は、容器本体１０の座面となる底部１２を下方に向けて棚等の保管場所に置くことができる。つまり、このトリガー式噴出容器１は置き型としても用いることができるようになっている。
【００２０】
詳細は図示しないが、胴部１１の上方には円筒状の口部が一体に設けられ、この口部にトリガー式のポンプディスペンサ２０が装着されている。
【００２１】
なお、本明細書においては、「上」とは容器本体１０に対してトリガー式のポンプディスペンサ２０が装着される側（図１における上側）を意味し、「下」とは「上」とは反対側（図１における下側）を意味する。
【００２２】
トリガー式のポンプディスペンサ２０はディスペンサ本体２１を備えている。ディスペンサ本体２１は円筒状の装着キャップ部２１ａを備え、この装着キャップ部２１ａの内周面に設けられた雌ねじ（不図示）を容器本体１０の口部の外周面に設けられた雄ねじにねじ結合させることにより容器本体１０の口部に固定されている。なお、装着キャップ部２１ａを、ねじ結合に替えてアンダーカット係合等の他の手段によって容器本体１０の口部に固定する構成とすることもできる。
【００２３】
ディスペンサ本体２１は、装着キャップ部２１ａの軸心から上方に向けて突出する円筒状の支持部２１ｂを備え、この支持部２１ｂの上端からはステム２２が突出している。このステム２２は支持部２１ｂに摺動自在に支持されており、ディスペンサ本体２１の内部つまり容器本体１０の側に向けて押し下げ可能となっている。
【００２４】
ディスペンサ本体２１の内部にはポンプ（不図示）が内蔵されている。ステム２２の下端はこのポンプに接続されており、ステム２２を押し下げることによりポンプを作動させることができる。ポンプが作動すると、容器本体１０の内部に収容されている内容液がポンプによりステム２２に向けて圧送される。
【００２５】
ステム２２の上端にはノズル２３が装着されている。ノズル２３はステム２２に対して直交する方向に突出しており、その噴出口２３ａは側方に向けられている。ノズル２３は、ポンプからステム２２に圧送されてきた内容液を外部に向けて噴出することができる。また、ノズル２３は、例えば内容液を直状、霧状、泡状等に噴出するものとすることができ、または、これらの噴出状態を選択可能な切替え構造を有するものとすることもできる。
【００２６】
ディスペンサ本体２１には、ステム２２を押し下げてポンプを作動させるための操作部分となるトリガー２４が設けられている。トリガー２４は、前面壁２４ａとこの前面壁２４ａの両側部に連なる一対の側面壁２４ｂとを備えたレバー形状に形成され、側面壁２４ｂの長手方向の一端側において枢軸２５によってディスペンサ本体２１に回動自在（揺動自在）に支持されている。図示する場合では、ディスペンサ本体２１には支持部２１ｂの側面からノズル２３の突出方向とは反対側に向けて突出する支持壁２１ｃが一体に設けられ、この支持壁２１ｃの上端側に枢軸２５によりトリガー２４が回動自在に支持されている。
【００２７】
ステム２２の先端側はトリガー２４の一対の側面壁２４ｂの間に配置されており、その先端側の部分においてトリガー２４の長手方向の中間部分に連結されている。これにより、トリガー２４が引き操作されて枢軸２５を中心として図１に二点鎖線で示す位置に向けて反時計周り方向に回動すると、その回動に伴ってステム２２は下方に押し下げられるようになっている。
【００２８】
図２に示すように、トリガー２４の前面壁２４ａには窓孔２４ｃが設けられている。ノズル２３はこの窓孔２４ｃから外部に向けて突出しており、トリガー２４はノズル２３に干渉することなく回動することができる。
【００２９】
このような構成により、トリガー２４の先端側に設けられた操作部２４ｄを支持部２１ｂの側に向けて手で引き操作することにより、ステム２２を下方に押し下げてポンプを作動させ、ノズル２３から内容物を噴出させることができる。トリガー２４の操作が解除されると、図示しない付勢手段によってステム２２が初期位置に向けて上方に押し上げられ、これに伴いトリガー２４も初期位置にまで復帰する。
【００３０】
トリガー２４には吊下げフック３０が装着されている。本実施の形態では、吊下げフック３０は、支軸部３１の両端に一対のフック部３２が固定された構成となっている。
【００３１】
より具体的には、図２に示すように、支軸部３１は円筒状に形成され、トリガー２４の一対の側面壁２４ｂの間にトリガー２４の枢軸２５と平行に架け渡されている。一対のフック部３２はそれぞれ、図１に示すように、直線状部３２ａの先端に円弧状部３２ｂが一体に連なる略Ｊ字形状に形成されている。一方のフック部３２は、その直線状部３２ａの基端において支軸部３１の一端の一体に固定されており、他方のフック部３２は、その直線状部３２ａの基端に設けられた円柱状の嵌合部３２ｃが支軸部３１の内側に嵌合することにより支軸部３１の他端に固定されている。これにより、各フック部３２は、それぞれトリガー２４の対応する側の側面壁２４ｂに沿って支軸部３１を軸心として回動自在となっている。なお、一対のフック部３２は、支軸部３１に対して同一姿勢ないし方向で固定されている。
【００３２】
吊下げフック３０は、支軸部３１とは別に、一対のフック部３２を互いに連結する連結部を備えた構成とすることもできる。このような構成により、フック部３２を補強することができる。この場合、連結部は一対のフック部３２の間の種々の位置に設けることできるが、円弧状部３２ｂの直線状部３２ａとの連接部分付近であって、吊下げフック３０が回動してもトリガー２４やディスペンサ本体２１に干渉しない位置に設けるのが好ましい。
【００３３】
このような構成により、吊下げフック３０は可動式とされており、手動で回動操作されることにより、図１に示すようにポンプディスペンサ２０つまりディスペンサ本体２１に隣接する収納状態と、図３に示すようにディスペンサ本体２１から外方（上方）に向けて突出する突出状態とに切替え可能となっている。
【００３４】
図１に示す収納状態においては、吊下げフック３０は、直線状部３２ａがトリガー２４の側面壁２４ｂに沿って斜め下方に向けた姿勢とされるとともに、円弧状部３２ｂの外周面が装着キャップ部２１ａの上面に当接する姿勢となってディスペンサ本体２１に隣接している。したがって、吊下げフック３０とともにディスペンサ本体２１を手で把持しても吊下げフック３０が邪魔になることがなく、トリガー２４を容易に操作可能である。また、このトリガー式噴出容器１を、容器本体１０の座面となる底部１２を下方に向けて棚等に置いて保管する場合には、吊下げフック３０を収納状態とすることにより保管場所の省スペース化を図ることができる。
【００３５】
一方、図３に示す突出状態においては、吊下げフック３０は、その直線状部３２ａが上方に向けて突出する鉛直姿勢となり、円弧状部３２ｂが直線状部３２ａからノズル２３の突出方向とは反対側に曲がる姿勢とされる。したがって、この吊下げフック３０をトイレに設けられたタオル掛けやドアノブ等の引掛り部などの様々な部分に引っ掛けることができる。これにより、棚等の保管場所が設けられないトイレ等の場所においても、トリガー式噴出容器１を引掛り部等に引っ掛けて吊り下げた状態で保管することができる。
【００３６】
なお、吊下げフック３０の突出状態における姿勢は、上記に限らず、トリガー式噴出容器１の重心位置や形状等を鑑みて種々の姿勢に設定することができる。
【００３７】
図１に示すように、トリガー２４の一対の側面壁２４ｂには、それぞれ一対の円柱状のストッパ凸部４０、４１が一体に設けられている。ストッパ凸部４０は支軸部３１の下方側において側面壁２４ｂから突出しており、吊下げフック３０が収納状態となったときにフック部３２の直線状部３２ａの側面に当接する。すなわち、フック部３２の回動方向の一方のストローク端がストッパ凸部４０により規定されている。一方、ストッパ凸部４１は支軸部３１の斜め上方側において側面壁２４ｂから突出しており、図３に示すように吊下げフック３０が突出状態となったときにフック部３２の直線状部３２ａの側面に当接する。すなわち、フック部３２の回動方向の他方のストローク端がストッパ凸部４１により規定されている。このように、トリガー２４の側面壁２４ｂに設けた一対のストッパ凸部４０、４１により、吊下げフック３０の回動方向の両ストローク端が規定されている。したがって、使用者は、フック部３２がストッパ凸部４０、４１に当接するまで吊下げフック３０を回動させることで、当該吊下げフック３０を容易に収納状態と突出状態とに切り替えることができる。
【００３８】
フック部３２の側面壁２４ｂの側を向く内側面には凹部４２が設けられている。また、この凹部４２に対応して、トリガー２４の側面壁２４ｂには凹部４２の移動経路上であって、フック部３２の回動方向の一方のストローク端と他方のストローク端との間の中間位置に円柱状の係止凸部４３が一体に設けられている。図３に二点鎖線で示すように、フック部３２がその回動方向の一方のストローク端と他方のストローク端との間の中間位置となると、凹部４２に係止凸部４３が係合する。これにより、吊下げフック３０を、その直線状部３２ａが水平姿勢となって円弧状部３２ｂがディスペンサ本体２１に対してノズル２３とは反対側に向けて突出する中間状態に保持することができる。本実施の形態のように、ディスペンサ本体２１が細く小さい場合であっても、吊下げフック３０とともにディスペンサ本体２１を手で把持する際に、吊下げフック３０を中間状態に保持することにより、当該吊下げフック３０に掌が当たるようにして、掌からトリガー２４の操作部２４ｄまでの距離を確保し、当該トリガー２４の操作性を高めることができる。また、吊下げフック３０を上記した中間状態よりやや高い位置に保持することにより、吊下げフック３０の円弧状部３２ｂの下端部を、掌と手の甲の間（人差し指と親指の側面）に当てて使用することができ、これによりトリガー２４の操作性を高めることができる。
【００３９】
図４は図１に示すトリガー式噴出容器の変形例の側面図であり、図５は図４に示すトリガー式噴出容器の、吊下げフックが中間状態とされたときの平面図であり、図６は図４に示すトリガー式噴出容器の、吊下げフックが中間状態とされたときの側面図である。なお、図４〜６においては、前述した部材に対応する部材には同一の符号を付してある。
【００４０】
図１に示す場合では、吊下げフック３０を、支軸部３１の両端に一対のフック部３２を固定した構成としているが、図４に示す変形例の場合では、吊下げフック３０を一対のフック部３２を連接壁部３３で連結した構成としている。
【００４１】
より具体的には、図４に示すように、一対のフック部３２は、それぞれ直線状部３２ａが円弧状部３２ｂとは反対側に僅かに反った形状とされるとともに、円弧状部３２ｂが直線状部３２ａに略直角に連なるとともに僅かに湾曲する円弧状に形成され、全体として略Ｊ字形状とされている。図５に示すように、連接壁部３３は板状に形成され、その両側部においてフック部３２の直線状部３２ａに一体に連なっている。
【００４２】
トリガー２４の側面壁２４ｂには、長溝２４ｅが設けられている。この長溝２４ｅは、トリガー２４の長手方向の略中央部の上方側から長手方向の後端側（図４中で右下側）に向けて徐々に下降しながら湾曲する一定幅の円弧状に形成されている。
【００４３】
一方、フック部３２の直線状部３２ａの基端側には、長溝２４ｅの溝幅よりも僅かに小さい直径の円柱状に形成されるとともに側面壁２４ｂの側に向けて突出する係合ボス３２ｄが一体に設けられている。吊下げフック３０は、それぞれのフック部３２に設けられた係合ボス３２ｄが対応する側面壁２４ｂの長溝２４ｅに、その長手方向に沿って移動自在であるとともに回動自在に係合することによりトリガー２４に装着されている。
【００４４】
長溝２４ｅの長手方向の一端側における内面には一対の保持突起４４が設けられており、係合ボス３２ｄが長溝２４ｅの一端側つまり一方のストローク端にまで移動すると、当該保持突起４４により係合ボス３２ｄは長溝２４ｅの一端に保持される。また、長溝２４ｅの長手方向の他端側における内面には一対の保持突起４５が設けられており、係合ボス３２ｄが長溝２４ｅの他端側つまり他方のストローク端にまで移動すると、当該保持突起４５により係合ボス３２ｄは長溝２４ｅの他端に保持される。長溝２４ｅの端部はそれぞれ係合ボス３２ｄに対応した半円形状の内面を有し、保持突起４４、４５の端部側を向く面もそれぞれ係合ボス３２ｄに対応した円弧形状に形成されている。これにより、係合ボス３２ｄは、保持突起４４、４５によって長溝２４ｅの各ストローク端に保持されつつ、当該ストローク端において回動することができる。
【００４５】
図４に示すように、係合ボス３２ｄを長溝２４ｅの右下方側のストローク端に位置させるとともにフック部３２をトリガー２４の下方側に位置するようにディスペンサ本体２１に隣接させることにより、吊下げフック３０を収納状態とすることができる。このように吊下げフック３０を収納状態とすることにより、ディスペンサ本体２１を手で把持しても吊下げフック３０が邪魔になることがなく、トリガー２４を容易に操作することができる。また、このトリガー式噴出容器１を、容器本体１０の座面となる底部１２を下方に向けて棚等に置いて保管する場合には、吊下げフック３０を収納状態とすることにより保管場所の省スペース化を図ることができる。
【００４６】
一方、図４に示す状態から、係合ボス３２ｄを中心としてフック部３２を反時計回り方向に略９０度回動させることにより、図５、図６に示すように、吊下げフック３０を、その直線状部３２ａが略水平姿勢となって円弧状部３２ｂがディスペンサ本体２１に対してノズル２３とは反対側に向けて突出する中間状態に保持することができる。本実施の形態のように、ディスペンサ本体２１が細く小さい場合であっても、吊下げフック３０を中間状態とすることにより、吊下げフック３０とともにディスペンサ本体２１を手で把持する際に、吊下げフック３０の円弧状部３２ｂが掌に当たるようにして、掌からトリガー２４の操作部２４ｄまでの距離を確保し、当該トリガー２４の操作性を高めることができる。また、吊下げフック３０を中間状態に保持することにより、吊下げフック３０の円弧状部３２ｂの下端部を、掌と手の甲の間（人差し指と親指の側面）に当てて使用することができ、これによりトリガー２４の操作性を高めることができる。
【００４７】
さらに、この状態から、図６において二点鎖線で示すように、係合ボス３２ｄを長溝２４ｅに沿って当該長溝２４ｅの他端にまで移動させるとともに、フック部３２を、その直線状部３２ａが上方に向けて突出する鉛直姿勢となり、円弧状部３２ｂが直線状部３２ａからノズル２３の突出方向とは反対側に曲がる姿勢となるように回動させることにより、吊下げフック３０を突出状態とすることができる。これにより、このトリガー式噴出容器１を、吊下げフック３０により、トイレに設けられたタオル掛けやドアノブ等の引掛り部などの様々な部分に引っ掛けることができる。したがって、棚等の保管場所が設けられないトイレ等の場所においても、トリガー式噴出容器１を引掛り部等に引っ掛けて吊り下げた状態で保管することができる。
【００４８】
さらに、この変形例では、係合ボス３２ｄを長溝２４ｅの任意の位置に配置し、当該位置においてフック部３２を回動させて任意の姿勢にすることができるので、様々な形状や位置の引掛け部にフック部３２を引っ掛けてトリガー式噴出容器１を吊り下げた状態で保管することができる。
【００４９】
本発明は前記実施の形態に限定されるものではなく、その要旨を逸脱しない範囲で種々変更可能であることはいうまでもない。
【００５０】
例えば、前記実施の形態においては、吊下げフック３０をトリガー２４に装着するようにしているが、これに限らず、例えばディスペンサ本体２１や装着キャップ部２１ａなどのポンプディスペンサ２０の種々の部位に装着することができ、吊下げフック３０のポンプディスペンサ２０への装着構造も種々変更可能である。
【００５１】
また、ポンプディスペンサ２０に設けられるポンプとしては、上記したようなステム２２が押し下げられることにより作動するものに限らず、例えば、ディスペンサ本体２１にトリガー２４の操作部２４ｄの側に向けて開口するシリンダを設け、このシリンダ内に摺動自在に配置したピストンをトリガー２４の操作部２４ｄに直接連結した構成のものなど、種々のタイプのものを用いることができる。
【００５２】
さらに、ディスペンサ本体２１やトリガー２４の形状ないしトリガー２４のディスペンサ本体２１への装着構造、吊下げフック３０の形状等も種々変更可能である。
【符号の説明】
【００５３】
１    トリガー式噴出容器
１０    容器本体
１１    胴部
１２    底部
２０    ポンプディスペンサ
２１    ディスペンサ本体
２１ａ  装着キャップ部
２１ｂ  支持部
２１ｃ  支持壁
２２    ステム
２３    ノズル
２３ａ  噴出口
２４    トリガー
２４ａ  前面壁
２４ｂ  側面壁
２４ｃ  窓孔
２４ｄ  操作部
２４ｅ  長溝
２５    枢軸
３０    吊下げフック
３１    支軸部
３２    フック部
３２ａ  直線状部
３２ｂ  円弧状部
３２ｃ  嵌合部
３２ｄ  係合ボス
３３    連接壁部
４０    ストッパ凸部
４１    ストッパ凸部
４２    凹部
４３    係止凸部
４４    保持突起
４５    保持突起
【図１】
0006532383.tif 000002
【図２】
0006532383.tif 000003
【図３】
0006532383.tif 000004
【図４】
0006532383.tif 000005
【図５】
0006532383.tif 000006
【図６】
0006532383.tif 000007